(57)【特許請求の範囲】
【請求項１】
複数のベルトを梱包するベルトの梱包方法であって、
ベルトの内部に一対のロール支持体を所定の間隔で挿入して、前記ベルトを前記一対のロール支持体で掛け渡すと共に前記一対のロール支持体のそれぞれに巻き掛け、前記一対のロール支持体で挟まれるベルト中央部の内周面同士を当接させて、ベルトを梱包し、且つ、ベルトの外周面上であって前記一対のロール支持体間で囲まれる領域に、梱包した他方のベルトにおける前記一対のロール支持体の一方を位置させると共に全てのロール支持体が並列するような状態で、複数のベルトを梱包箱に収納することを特徴とするベルトの梱包方法。
【発明の詳細な説明】
【技術分野】
【０００１】
本発明は、ベルトの梱包するためのベルト用梱包容器及びベルトの梱包方法に関する。特に、特に、電子写真方式の機能性ベルト（例えば、中間転写ベルト、転写搬送ベルト、定着ベルト等）として用いられるベルトに有用な、ベルトの梱包方法に関する。
【背景技術】
【０００２】
ベルトは、電子写真方式の機能性ベルト、具体的には感光体ベルトの基体ベルト、中間転写ベルト、転写搬送ベルト、定着ベルト等に使用されている。このようなベルトを収納箱などに梱包すると、折れ目がついてしまうという問題がある。
【０００３】
このため特許文献１には、ベルトの両端（ベルト幅方向とは直交する方向の両端）に膨らみをもった収容空間を形成した容器を用いてベルトを梱包方法が開示されている（特許文献１：図１参照）。
【０００４】
一方、特許文献２には、ベルトの両端内側（ベルト幅方向とは直交する方向の両端）に２本の円筒体を入れた後、さらにベルト外周面側に１本の円筒体を重ねて、内側に配置した円筒体と外側に配置した円筒体によりベルトを巻くことで、ベルトを小さく収納する梱包方法が開示されている（特許文献２：図１参照）。
【０００５】
【特許文献１】特開２００２−２２５９７１公報
【特許文献２】特開２００３−３３５３８７公報
【発明の開示】
【発明が解決しようとする課題】
【０００６】
しかしながら、特許文献１では、用いる容器が特殊な形状であるため費用がかさむばかりでなく、複数のベルトを一つの容器に収納できず、容器が特殊であるがゆえに重ねると体積がかさばるなどの問題があった。
【０００７】
一方、特許文献２では、収納体積が減少させることができるが、ベルトを内側に配置した円筒体と外側に配置した円筒体により巻くため、ベルトが内曲げ・外曲げがなされた状態での梱包となるため、ベルトに複雑な曲がりぐせが発生するといった問題がある。
【０００８】
このように、ベルトの梱包においては、曲がりぐせの抑制と、収納体積との両立が未だ不十分であり、改善が望まれているのが現状である。
【０００９】
したがって、本発明は、上記従来の問題点に鑑み、ベルトの曲がりぐせの発生を抑制し、且つ収納体積を減少させるベルトの梱包方法を提供することを目的とする。
【課題を解決するための手段】
【００１０】
上記課題は、以下の手段により解決される。即ち、
本発明の梱包方法は、複数のベルトを梱包するベルトの梱包方法であり、
ベルトの内部に一対のロール支持体を所定の間隔で挿入して、前記ベルトを前記一対のロール支持体で掛け渡すと共に前記一対のロール支持体のそれぞれに巻き掛け、前記一対のロール支持体で挟まれるベルト中央部の内周面同士を当接させて、ベルトを梱包し、且つ、ベルトの外周面上であって前記一対のロール支持体間で囲まれる領域に、梱包した他方のベルトにおける前記一対のロール支持体の一方を位置させると共に全てのロール支持体が並列するような状態で、複数のベルトを梱包箱に収納することを特徴としている。
【００１１】
本発明のベルトの梱包方法では、一対のロール支持体それぞれにベルト内周面を当接させるように巻き掛け、且つ一対のロール支持体間で挟まれるベルト中央部の内周面同士を当接させてベルトを梱包している。このため、最小限にベルトを曲げた状態でベルトを梱包している。
【００１２】
そして、ベルト外周面上であって、一対のロール支持体間で囲まれる領域に空間を持たせ、そこに、梱包された他のベルトの一対のロール支持体の一方を位置させると共に全てのロール支持体が並列させるので、収納体積も最小限に抑えられる。
【発明の効果】
【００１３】
よって、本発明によれば、ベルトの曲がりぐせの発生を抑制し、且つ収納体積を減少させるベルトの梱包方法を提供することができる。
【発明を実施するための最良の形態】
【００１４】
以下、本発明について図面を参照しつつ説明する。なお、実質的に同一の機能を有する部材には全図面通して説明し、重複する説明を省略する場合がある。
【００１５】
図１は、本発明の実施形態に係るベルトの包装形態を示す概略断面図である。図２は、本発明の実施形態に係るベルトの包装形態を示す分解斜視図である。
【００１６】
本実施形態に係るベルトの梱包形態は、図１及び図２に示すように、例えば、直径３６６ｍｍ（周長１１５０ｍｍ）、幅（軸方向の長さ）３６９ｍｍ、厚さ８０μｍの寸法である、２つのベルト１０Ａ及びベルト１０Ｂを梱包して収納箱に収納する梱包形態（梱包方法）である。
【００１７】
まず、ベルト１０Ａの両端側内部（ベルト幅方向と直交方向の両端側内部）にロール支持体１２Ａ，１４Ａを２本挿入する。この所定の間隔を持って配置された２本のロール支持体１２Ａ，１４Ａによりベルト１０Ａを掛け渡す。この際、２本のロール支持体１２Ａ，１４Ａのそれぞれにベルト１０Ａを巻き掛ける。この巻き掛けるとは、ロール支持体１２Ａ，１４Ａの円周の半分から３／４程度で、ベルトＡの内周面をロール支持体１２Ａ，１４Ａの外周面にそれぞれ当接させることを示す。無論、ベルトが柔らかい場合には、円周の３／４を超えて当接する場合もあり得る。
【００１８】
そして、２本のロール支持体１２Ａ，１４Ａで挟まれたベルト１０Ａの中央部の内周面同士を当接させる。また、図示しないが、ベルト１０Ａの中央部の内周面同士は、両面テープなどの接着部材により接着して当接させる。この際、ベルト１０Ａ中央部で内周面が対向する領域の一方がロール支持体１２Ａ，１４Ａとの非当接領域で湾曲しないように（言い換えれば、他方のみがロール支持体１２Ａ，１４Ａとの非当接領域で湾曲するように）、ベルト１０Ａの中央部の内周面同士を当接させる。なお、ベルト１０Ａの中央部の内周面同士は、スポンジなどの板状の緩衝部材を介して当接させてもよい。
【００１９】
ロール支持体１２Ａ，１４Ａとしては、ベルトがつぶれない程度の強度を持っていれば特に制限はなく、紙管、プラスチック管（プラスチック板を丸めて管状したものも含む：例えば、厚さ１００μｍのＰＥＴフィルムを管状に丸めたもの）、スポンジロール、発泡スチロール、等が適用できる。
【００２０】
ロール支持体１２Ａ，１４Ａの直径としては、ベルトの直径（或いは周長）にもよるが、おおよそ、ベルトの直径が例えば２００〜５００ｍｍ（或いは周長例えば６２８〜１５７０ｍｍ）の場合、例えば３０〜１００ｍｍ程度とする。本実施形態では、直径５０ｍｍ、長さ（軸方向長さ）３７０ｍｍの寸法で、紙管からなるロールを適用した。このような直径とすることで、収納体積を減少させつつ、ベルトの曲がりぐせがつきにくく梱包することができる。
【００２１】
このようにして、ベルト１０Ａ内周面とロール支持体１２Ａとが当接したロール支持体当接部１６Ａと、ベルト１０Ａ内周面とロール支持体１４Ａとが当接したロール支持体当接部１８Ａと、ベルト１０Ａの中央部の内周面同士が当接し、ベルト１０Ａ外周面上であってロール支持体１２Ａ，１４Ａに挟まれた領域（空間）２０Ａを有し、且つ最小限に曲げられた状態でベルト１０Ａを梱包する。
【００２２】
一方、ベルト１０Ｂもベルト１０Ａと同様に梱包する。なお、ベルト１０Ｂにおける各部材の符号は、ベルト１０Ａにおける「Ａ」を「Ｂ」に替えて付している。
【００２３】
そして、ベルト１０Ａにおけるベルト１０Ａ中央部の内周面同士が当接し、ベルト１０Ａ外周面上であってロール支持体１２Ａ，１４Ａに挟まれた領域（空間）２０Ａに、ベルト１０Ｂにおけるベルト１０Ｂ内周面とロール支持体１４Ｂとが当接したロール支持体当接部１８Ｂを位置させ、尚且つベルト１０Ａ及びベルト１０Ｂにおけるロール支持体１２Ａ，１４Ａ，１２Ｂ，１４Ｂが実質的に並列するように、ベルト１０Ａ及びベルト１０Ｂ配置する。
【００２４】
言い換えれば、ベルト１０Ｂにおけるベルト１０Ｂ中央部の内周面同士が当接し、ベルト１０Ｂ外周面上であってロール支持体１２Ｂ，１４Ｂに挟まれた領域（空間）２０Ｂに、ベルト１０Ａにおけるベルト１０Ａ内周面とロール支持体１４Ａとが当接したロール支持体当接部１８Ａを位置させ、尚且つベルト１０Ａ及びベルト１０Ｂにおけるロール支持体１２Ａ，１４Ａ，１２Ｂ，１４Ｂが実質的に並列するように、第１ベルト及びベルト１０Ｂ配置する。
【００２５】
また、第１ベルト及びベルト１０Ｂは、ロール支持体１２Ａ，１４Ｂ同士、また、ロール支持体１４Ａ，１２Ｂ同士がベルトを介して近接するように配置する。
【００２６】
このようなに収納体積を減少させた状態で、ベルト１０Ａ及びベルト１０Ｂを収納箱２２に収納する。
【００２７】
収納箱２２は、箱本体２４と蓋２６から構成され、例えば、紙製或いはプラスチック製のダンボールで構成することができる。本実施形態では、幅６５０ｍｍ、奥行き３８０ｍｍ、深さ６０ｍｍの寸法である、ポリエチレンコート段ボールで構成された箱本体２４と、幅６６０ｍｍ、奥行き３９０ｍｍ、深さ２０ｍｍの寸法である、同じ材質のポリエチレンコート段ボールで構成された蓋２６と、からなる収納箱２２を適用した。
【００２８】
本実施形態に係る梱包形態では、上述のように、最小限に曲げられた状態でベルト１０Ａ及びベルト１０Ｂをそれぞれ梱包し、且つ、互いにのベルト中央部の内周面同士が当接し、ベルト外周面上であってロール支持体に挟まれた領域（空間）に、他のベルトのロール支持体（ロール支持体当接部）を位置させ、各ロール支持体を実質的に一直線上に並列に配置するように、収納体積を減少させた状態で収納箱２２に収納している。
【００２９】
このため、ベルトの曲がりぐせの発生を抑制し、且つ収納体積を減少させて、ベルトを梱包することができる。
【００３０】
なお、本実施形態では、２本のベルトを梱包した形態を説明したが、ベルトの本数に制限はなく、３本以上でもよく、例えば、図３に示すように３本のベルト１０Ａ、１０Ｂ、１０Ｃを梱包した形態でもよい。
【００３１】
ここで、図３は、本発明の他の実施形態に係る梱包形態を示す概略断面図である。この実施形態に係る梱包形態は、図３に示すように、上記梱包形態（図１及び図２参照）におけるベルト１０Ａと同様に各ベルトを梱包し、ベルト１０Ａとベルト１０Ｂとの関係と同様にベルト１０Ｂとベルト１０Ｃを配置して、ベルト１０Ａ、ベルト１０Ｂ及びベルト１０Ｃを収納箱２２に収納している。
【００３２】
即ち、ベルト１０Ｂにおけるベルト１０Ｂ中央部の内周面同士が当接し、ベルト１０Ｂ外周面上であってロール支持体１２Ｂ，１４Ｂに挟まれた領域（空間）２０Ｂに、ベルト１０Ａにおけるベルト１０Ａ内周面とロール支持体１４Ａとが当接したロール支持体当接部１８Ａとベルト１０Ｃにおけるベルト１０Ｃ内周面とロール支持体１２Ｃとが当接したロール支持体当接部１６Ｃとを位置させ、尚且つベルト１０Ａ、ベルト１０Ｂ及びベルト１０Ｃにおけるロール支持体１２Ａ，１４Ａ，１２Ｂ，１４Ｂ，１２Ｃ，１４Ｃが実質的に並列するように、ベルト１０Ａ及びベルト１０Ｂ配置している。
【００３３】
このような他の実施形態でも、同様に、ベルトの曲がりぐせの発生を抑制し、且つ収納体積を減少させて、ベルトを梱包することができる。
【００３４】
なお、本実施形態に係る包装形態（包装方法）において、適用されるベルトは、その表面特性（表面粗さ、接触角、平面性、光沢等）が、形成される画質と密接な関係にあり、曲がりぐせが生じると画像欠陥となりやすい問題がある電子写真装置用の機能性ベルト（例えば、中間転写ベルト、転写搬送ベルト、定着ベルト等）が有効である。しかし、これに限られず、ベルトに曲がりぐせが生じると、その特性が悪化してしまうものであれば、本発明は有効に適用することができる
【図面の簡単な説明】
【００３５】
【図１】本発明の実施形態に係るベルトの包装形態を示す概略断面図である。
【図２】本発明の実施形態に係るベルトの包装形態を示す分解斜視図である。
【図３】本発明の他の実施形態に係るベルトの包装形態を示す概略断面図である。
【符号の説明】
【００３６】
１０Ａ、１０Ｂ、１０Ｃ      ベルト
１２Ａ，１４Ａ，１２Ｂ，１４Ｂ，１２Ｃ，１４Ｃ   ロール支持体
１６Ａ，１６Ｂ，１６Ｂ      ロール支持体当接部
１８Ａ，１８Ｂ，１８Ｂ      ロール支持体当接部
２２   収納箱
２４   箱本体
２６   蓋
【図１】
0004678283.tif 000002
【図２】
0004678283.tif 000003
【図３】
0004678283.tif 000004